(57)【要約】【課題】主に、発光品位または表示品質の低下を防止し得るようにする。【解決手段】複数の反射ドット１１〜１４を有する透光性の導光板１５〜１７と、導光板１５〜１７の側面に配設した光源１８，１９とを備えて、反射ドット１１〜１４による図形１，２の表示を可能にした点光式表示装置３に関する。  複数の図形１，２を少なくとも一部が重なるように上下に配置する。  導光板１５〜１７を、図形１，２どうしの重ならない部分２１，２２のみを表示可能な反射ドット１１，１２を各図形１，２ごとに有する非重複部用導光板（導光板１５，１６）と、  図形１，２どうしの重なり部分２３を表示可能な反射ドット１３，１４を有する重複部用導光板（導光板１７）とに分けて設けると共に、非重複部用導光板（導光板１５，１６）と重複部用導光板（導光板１７）とを上下に積層配置する。【選択図】図３
2018155834.tif 000002
【特許請求の範囲】
【請求項１】
複数の反射ドットを有する透光性の導光板と、該導光板の側面に配設した光源とを備えて、前記導光板へ入射した前記光源からの光が前記反射ドットで反射して前記導光板から出射することで前記反射ドットによる図形の表示を可能にした点光式表示装置において、
複数の図形を少なくとも一部が重なるように上下に配置すると共に、
前記導光板を、図形どうしの重ならない部分のみを表示可能な反射ドットを各図形ごとに有する非重複部用導光板と、
図形どうしの重なり部分を表示可能な反射ドットを有する重複部用導光板とに分けて設けると共に、前記非重複部用導光板と前記重複部用導光板とを上下に積層配置したことを特徴とする点光式表示装置。
【請求項２】
請求項１に記載の点光式表示装置であって、
２枚の非重複部用導光板の間に、該２枚の非重複部用導光板に共通する重なり部分を表示可能な反射ドットを有する前記重複部用導光板を介在し、
一方の非重複部用導光板と前記重複部用導光板との側面間に跨るように第一の光源を配設すると共に、
他方の非重複部用導光板と前記重複部用導光板との上記とは異なる側面間に跨るように第二の光源を配設したことを特徴とする点光式表示装置。
【請求項３】
請求項１または請求項２に記載の点光式表示装置であって、
２枚の非重複部用導光板の間に、該２枚の非重複部用導光板に共通する重なり部分を表示可能な反射ドットを有する前記重複部用導光板を介在し、
２枚の非重複部用導光板には、前記重複部用導光板と接する面に反射ドットを設けると共に、
前記重複部用導光板には、両面に反射ドットを設けたことを特徴とする点光式表示装置。
【請求項４】
請求項３に記載の点光式表示装置であって、
前記重複部用導光板の両面の前記反射ドットを、互いに位置をズラして設けたことを特徴とする点光式表示装置。
【請求項５】
請求項１ないし請求項４のいずれか１項に記載の点光式表示装置であって、
上下に配置した複数の図形のうち、下側に位置する図形を表示する反射ドットを、上側に位置する図形を表示する反射ドットよりも小さくしたことを特徴とする点光式表示装置。
【発明の詳細な説明】
【技術分野】
【０００１】
この発明は、点光式表示装置に関するものである。
【背景技術】
【０００２】
図形を光の点で表示するようにした点光式表示装置が存在している（例えば、特許文献１、特許文献２参照）。
【０００３】
このような点光式表示装置は、複数の反射ドットを有する透光性の導光板と、導光板の側面に配設した光源とを備えて、導光板へ入射した光源からの光が反射ドットで反射して導光板から出射することで反射ドットによる図形の表示を可能にしたものである。
【０００４】
そして、点光式表示装置で複数の図形を切り替える場合には、各図形ごとの反射ドットを有する導光板を上下に複数枚重ねて配置すると共に、各導光板ごとに個別に光源を設置するようにしている。これにより、どれか１つの光源を点灯することで、点灯している光源からの光を入射した導光板の図形が表示され、また、点灯する光源を変えることで別の図形が表示されるようになる。
【先行技術文献】
【特許文献】
【０００５】
【特許文献１】特開２００９−２０４８８５号公報
【特許文献２】特開２００２−２９７０７０号公報
【発明の概要】
【発明が解決しようとする課題】
【０００６】
しかしながら、上記点光式表示装置には、以下のような問題があった。
即ち、複数の図形を切り替え可能とした点光式表示装置の場合、図形どうしに重なり部分があると、例えば、下側の図形を表示した時に、下側の図形における重なり部分に位置する反射ドットで反射した光が上側の図形における重なり部分に位置する反射ドットに当たって光路の干渉を生じるおそれがある。
【０００７】
このような光路の干渉が生じると、点光式表示装置の発光品位または表示品質が低下する。
【０００８】
そこで、本発明は、上記した問題点を解決することを、主な目的としている。
【課題を解決するための手段】
【０００９】
上記課題を解決するために、本発明は、
複数の反射ドットを有する透光性の導光板と、該導光板の側面に配設した光源とを備えて、前記導光板へ入射した前記光源からの光が前記反射ドットで反射して前記導光板から出射することで前記反射ドットによる図形の表示を可能にした点光式表示装置において、
複数の図形を少なくとも一部が重なるように上下に配置すると共に、
前記導光板を、図形どうしの重ならない部分のみを表示可能な反射ドットを各図形ごとに有する非重複部用導光板と、
図形どうしの重なり部分を表示可能な反射ドットを有する重複部用導光板とに分けて設けると共に、前記非重複部用導光板と前記重複部用導光板とを上下に積層配置したことを特徴とする。
【発明の効果】
【００１０】
本発明によれば、上記構成によって、発光品位または表示品質の低下を防止することなどができる。
【図面の簡単な説明】
【００１１】
【図１】実施例１の点光式表示装置に表示可能な上側の図形を示す平面図である。
【図２】図１の点光式表示装置に表示可能な下側の図形を示す平面図である。
【図３】図１の点光式表示装置の上側の図形を表示する状態を示す側面図である。
【図４】図１の点光式表示装置の下側の図形を表示する状態を示す側面図である。
【図５】上側の図形と下側の図形の重なり状態を示す平面図である。
【図６Ａ】上側の図形の重ならない部分を有する非重複部用導光板の平面図である。
【図６Ｂ】下側の図形の重ならない部分を有する非重複部用導光板の平面図である。
【図６Ｃ】上側の図形と下側の図形の重なり部分を有する重複部用導光板の平面図である。
【図７】比較例にかかる点光式表示装置の側面図である。
【図８】図７の下側の図形を表示した状態を示す側面図である。
【図９】実施例２にかかる点光式表示装置を示す正面図である。
【図１０】図９の部分拡大図である。
【発明を実施するための形態】
【００１２】
以下、本実施の形態を、図面を用いて詳細に説明する。
図１〜図１０は、この実施の形態を説明するためのものである。
【実施例１】
【００１３】
＜構成＞以下、この実施例の構成について説明する。
【００１４】
図１、図２に示すように、図形１，２を光の点で表示するようにした点光式表示装置３を設ける。
【００１５】
この点光式表示装置３を、図３（または図４）に示すように、複数の反射ドット１１〜１４を有する透光性の導光板１５〜１７と、導光板１５〜１７の側面に配設した光源１８，１９とを備えたものとする。そして、導光板１５〜１７へ入射した光源１８，１９からの光が反射ドット１１〜１４で反射して導光板１５〜１７から出射することで反射ドット１１〜１４による図形１，２の表示を可能とする。
【００１６】
ここで、図形１，２は、光の点で表せるものであれば何でも良く、例えば、文字や数字や記号なども広く含むことができる。そして、点光式表示装置３では、最も上側の導光板１５の上面を、そのまま表示面とすることができる。光源１８，１９には、ＬＥＤなどを用いることができる。
【００１７】
以上のような基本的な構成に対し、この実施例では、以下のような構成を備えるようにしている。
【００１８】
（１）図５に示すように、複数の図形１，２を少なくとも一部が重なるように上下に配置する。
図６Ａ〜図６Ｃに示すように、導光板１５〜１７を、図形１，２どうしの重ならない部分２１，２２のみを表示可能な反射ドット１１，１２を各図形１，２ごとに有する非重複部用導光板（導光板１５（図６Ａ）、導光板１６（図６Ｂ））と、
図形１，２どうしの重なり部分２３を表示可能な反射ドット１３，１４を有する重複部用導光板（導光板１７（図６Ｃ））とに分けて設ける。
そして、非重複部用導光板（導光板１５，１６）と重複部用導光板（導光板１７）とを上下に積層配置する。
【００１９】
ここで、複数の図形１，２は、主に、一部が重なるものを想定しているが、１つが完全に他のものに含まれるような重なり方をしたものであっても良い。非重複部用導光板（導光板１５，１６）は、図形１，２の一部が重なる場合には、図形１，２の数と同じ枚数となる。また、図形１，２の１つが完全に他のものに含まれる場合には、図形１，２の数よりも少ない枚数となる。重複部用導光板（導光板１７）は、図形１，２の数の重なり状況に応じて単数または複数枚設けられる。
【００２０】
非重複部用導光板（導光板１５，１６）と重複部用導光板（導光板１７）との積層配置の仕方については、任意とすることができるが、好ましくは以下のようにする。
【００２１】
（２）２枚の非重複部用導光板（導光板１５，１６）の間に、２枚の非重複部用導光板（導光板１５，１６）に共通する重なり部分２３を表示可能な反射ドット１３，１４を有する重複部用導光板（導光板１７）を介在する。
そして、一方の非重複部用導光板（導光板１５）と重複部用導光板（導光板１７）との側面間に跨るように第一の光源１８を配設する。
また、他方の非重複部用導光板（導光板１７）と重複部用導光板（導光板１７）との上記とは異なる側面間に跨るように第二の光源１９を配設する。
【００２２】
ここで、第一の光源１８と第二の光源１９は、主に同色のものを想定しているが、異色のものとしても良い。
【００２３】
（３）上記したように、２枚の非重複部用導光板（導光板１５，１６）の間に、２枚の非重複部用導光板（導光板１５，１６）に共通する重なり部分２３を表示可能な反射ドット１３，１４を有する重複部用導光板（導光板１７）を介在する。
そして、２枚の非重複部用導光板（導光板１５，１６）には、重複部用導光板（導光板１７）と接する面２６，２７に反射ドット１１，１２を設けるようにしても良い。
また、重複部用導光板（導光板１７）には、両面２８，２９に反射ドット１３，１４を設けるようにしても良い。
【００２４】
ここで、反射ドット１１〜１４は、それぞれ円錐状の凹部などとすることができるが、反射ドット１１〜１４の形状は、これに限るものではない。重複部用導光板（導光板１７）の両面２８，２９に対する反射ドット１３，１４の配分は、重なり部分２３に必要な数を半分ずつ設けることを基本とする。そして、必要に応じて、実際の図形１，２の見え方が最適となるように、両面２８，２９に対する反射ドット１３，１４の配分を適宜調整しても良い。
【００２５】
（４）重複部用導光板（導光板１７）の両面２８，２９の反射ドット１３，１４は、互いに位置をズラして設けるようにするのが好ましい。
【００２６】
ここで、両面２８，２９の反射ドット１３，１４は、面方向に対して互いにできるだけ離して設けるのが好ましい。そのために、例えば、両面２８，２９の反射ドット１３，１４は、それぞれ等間隔で規則的に配置すると共に、互いに半ピッチ程度、位置をズラして設けるのが好ましい（ズレ量３１）。
【００２７】
（５）上下に配置した複数の図形１，２のうち、下側に位置する図形２を表示する反射ドット１２，１４を、上側に位置する図形１を表示する反射ドット１１，１３より小さくしても良い（反射ドット１２，１４＜反射ドット１１，１３）。
【００２８】
ここで、下側に位置する図形２を表示する反射ドット１２，１４は、上側に位置する図形１を表示する反射ドット１１，１３の、例えば、０．５〜０．９倍、好ましくは０．６〜０．８倍の大きさなどにするのが好ましい。
【００２９】
その他、各導光板１５〜１７は、同じ厚みにすることを基本としているが、視差を少なくするなどために、重複部用導光板（導光板１７）を、２枚の非重複部用導光板（導光板１５，１６）よりも薄肉にしても良い。
【００３０】
＜作用＞以下、この実施例の作用について説明する。
【００３１】
点光式表示装置３では、図３に示すように、第一の光源１８を点灯すると、第一の光源１８からの光が、非重複部用導光板（導光板１５）と重複部用導光板（導光板１７）へ入射し、反射ドット１１，１３で反射して導光板１５の表面（図中上面）から出射する。これにより、反射ドット１１，１３による図形１が表示される。
【００３２】
また、図４に示すように、第ニの光源１９を点灯すると、第ニの光源１９からの光が、非重複部用導光板（導光板１６）と重複部用導光板（導光板１７）へ入射し、反射ドット１２，１４で反射して導光板１５を通り、導光板１５の表面（図中上面）から出射する。これにより、反射ドット１２，１４による図形２が表示される。
【００３３】
＜効果＞この実施例によれば、以下のような効果を得ることができる。
【００３４】
（効果１）複数の図形１，２を上下に重ねて配置する場合に、導光板１５〜１７を、非重複部用導光板（導光板１５，１６）と重複部用導光板（導光板１７）とに分けて設けるようにした。
【００３５】
これにより、図形１，２どうしの重なり部分２３を構成する反射ドット１３，１４が重複部用導光板（導光板１７）のみに存在することになるため、図形１，２どうしの重なり部分２３での光路の干渉をなくすことが可能になる。
【００３６】
よって、例えば、図７の比較例に示すように、図形１，２ごとの反射ドット４１，４２を有する導光板４３，４４を設けた場合には、下側の図形２を表示するために光源１９を点灯した時に、図８に示すように、図形１，２の重なり部分での光路の干渉による疑似点灯現象（即ち、非点灯の反射ドット４１に光Ｌが当たって点灯しているように見えること）や、反射ドット４２の境界線の滲み（ボケやゴーストなど）や、点灯している反射ドット４２の輝度の低下などが発生するおそれが高い。これに対し、この実施例のようにした場合には、重なり部分２３での光路の干渉をなくすことができるので、上記したような不具合を有効に防止することができる。その結果、この実施例のものは、図７のものと比べて点光式表示装置３の発光品位または表示品質を向上することができる。また、第一の光源１８と第二の光源１９とを同色にした場合でも、光路の干渉による影響が目立たないようにすることができる。
【００３７】
（効果２）２枚の非重複部用導光板（導光板１５，１６）の間に、これらと関連する重複部用導光板（導光板１７）を介在し、一方の非重複部用導光板（導光板１５）と重複部用導光板（導光板１７）との側面間に跨るように第一の光源１８を配設すると共に、他方の非重複部用導光板（導光板１６）と重複部用導光板（導光板１７）との上記とは異なる側面間に跨るように第二の光源１９を配設した。
【００３８】
これにより、同じ図形１，２を構成する非重複部用導光板（導光板１５，１６）と重複部用導光板（導光板１７）とをまとめて効率良く配置することができる。
【００３９】
即ち、同じ図形１を構成する非重複部用導光板（導光板１５）と重複部用導光板（導光板１７）とで光源１８を共用することができ、また、同じ図形２を構成する非重複部用導光板（導光板１６）と重複部用導光板（導光板１７）とで光源１９を共用することができる。よって、導光板１５〜１７ごとに光源を個別に設ける場合と比べて光源の使用数を抑制することができる。
【００４０】
（効果３）２枚の非重複部用導光板（導光板１５，１６）の間に、これらと関連する重複部用導光板（導光板１７）を介在し、２枚の非重複部用導光板（導光板１５，１６）には、重複部用導光板（導光板１７）と接する面２６，２７に反射ドット１１，１２を設けると共に、重複部用導光板（導光板１７）には、両面２８，２９に反射ドット１３，１４を設けるようにした。
【００４１】
これにより、同じ図形１，２を構成する非重複部用導光板（導光板１５，１６）と重複部用導光板（導光板１７）とをまとめて効率良く配置することができる。
【００４２】
この際、非重複部用導光板（導光板１５，１６）と重複部用導光板（導光板１７）との互いに接する境界面（面２６，２８および面２７，２９）に、それぞれ同じ図形１，２の重ならない部分２１，２２を表示する反射ドット１１，２２と重なり部分２３を表示する反射ドット１３，１４とを並べて設置するようにしたことで、同じ図形１の反射ドット１１，１３が同じ面２６，２８に沿って存在し、また、同じ図形２の反射ドット１２，１４が同じ面２７，２９に沿って存在するようになるので、同じ図形１，２の重なり部分２３と重ならない部分２１，２２との間に視差が生じないように、または、視差が少なくなるようにすることができる。
【００４３】
（効果４）重複部用導光板（導光板１７）の両面２８，２９の反射ドット１３，１４を、互いに位置をズラして設けた。これにより、重複部用導光板（導光板１７）の両面２８，２９に設けた反射ドット１３，１４間の光路の干渉を有効に防止することができる。
【００４４】
（効果５）上下に配置した複数の図形１，２のうち、下側に位置する図形２を表示する反射ドット１２，１４を、上側に位置する図形１を表示する反射ドット１１，１３よりも小さくした。これにより、下側の図形２を上側の図形１よりも薄く見えるようにすることができる。よって、重複部用導光板（導光板１７）の両面２８，２９に反射ドット１３，１４を設けて両面２８，２９が発光するようにした場合における、反射ドット１３，１４の境界線の滲み（ボケやゴーストなど）などの影響を抑制することができる。
【実施例２】
【００４５】
図９、図１０は、上記した点光式表示装置３を自動車などの車両５１に対して適用した具体的な実施例を示すものである。
【００４６】
この実施例では、点光式表示装置３をステアリング５２に設置されたステアリングスイッチ５３のスイッチ表示部に設けている。ステアリング５２およびステアリングスイッチ５３は、インストルメントパネル５４に設けた計器装置５５の車両後方側の位置に設置されている。そして、図形１を「＋−」などの増減を示す記号とすると共に、図形２を上矢印や下矢印などの上下移動を示す図形として、一部が重なるようにしている。
【００４７】
点光式表示装置３は、コストが安く、小型化が容易で、矩形状に限らない自由な平面形状にできるため形状自由度が高く、曲面にも柔軟に対応できるため、ステアリングスイッチ５３などのスイッチ表示部に設けるのには最適なものとなる。なお、点光式表示装置３は、ステアリングスイッチ５３のスイッチ表示部以外にも、車両５１に設けられる各種の表示部やスイッチ表示部などに広く適用することが可能である。
【００４８】
なお、上記以外の構成作用効果については、上記実施例と同様であるため、上記実施例の記載を以ってこの実施例の記載とすることができる。
【符号の説明】
【００４９】
１      図形
２      図形
３      点光式表示装置
１１    反射ドット
１２    反射ドット
１３    反射ドット
１４    反射ドット
１５    導光板（非重複部用導光板）
１６    導光板（非重複部用導光板）
１７    導光板（重複部用導光板）
１８    光源（第一の光源）
１９    光源（第ニの光源）
２１    重ならない部分
２２    重ならない部分
２３    重なり部分
２６    面
２７    面
２８    面
２９    面
Ｌ      光
【図１】
2018155834.tif 000003
【図２】
2018155834.tif 000004
【図３】
2018155834.tif 000005
【図４】
2018155834.tif 000006
【図５】
2018155834.tif 000007
【図６Ａ】
2018155834.tif 000008
【図６Ｂ】
2018155834.tif 000009
【図６Ｃ】
2018155834.tif 000010
【図７】
2018155834.tif 000011
【図８】
2018155834.tif 000012
【図９】
2018155834.tif 000013
【図１０】
2018155834.tif 000014